(57)【要約】      （修正有）【課題】第１媒体の斜行を抑制しつつ第２媒体を良好に搬送できるとともに、製造コストの低廉化を実現できる画像読取装置及び媒体搬送装置を提供する。【解決手段】第１ローラ１１０は第１軸心Ｘ１周りに回転駆動され、第１面ＣＡ１に当接可能である。第２ローラ１２０は第２軸心Ｘ２周りに回転可能に配され、第２面ＣＡ２に当接可能である。当接部１３０は第２面ＣＡ２に当接可能に配される。第２媒体ＣＡの搬送方向において、第２ローラ１２０及び当接部１３０の一方は第１軸心Ｘ１より上流側に位置し、第２ローラ１２０及び当接部１３０の他方は第１軸心Ｘ１より下流側に位置する。第１、２間隔Ｗ１、Ｗ２は、第１媒体ＳＨの厚みより大きく設定されているとともに、第２媒体ＣＡが搬送ガイド部において搬送される際、第１ローラ１１０が第１面ＣＡ１に当接すると同時に第２ローラ１２０及び当接部１３０が第２面ＣＡ２に当接可能な大きさに設定される。【選択図】図９
2014193757.tif 000002
【特許請求の範囲】
【請求項１】
第１媒体を案内するとともに、前記第１媒体より幅狭、かつ肉厚である第２媒体を案内する搬送経路を構成する搬送ガイド部を有する筐体と、
前記第１媒体及び前記第２媒体を前記搬送ガイド部において搬送する搬送部と、
前記搬送ガイド部において搬送される前記第１媒体及び前記第２媒体の画像を読み取る読取部とを備え、
前記第２媒体は、前記搬送ガイド部における幅方向の一端側に位置する搬送領域において案内され、
前記搬送部は、前記搬送領域において前記第２媒体を協働して搬送する第１ローラ、第２ローラ及び当接部を有し、
前記第１ローラは、前記幅方向と平行な第１軸心周りに回転駆動され、前記第２媒体の第１面に当接可能であり、
前記第２ローラは、前記第１軸心と平行、かつ前記搬送経路を挟んで前記第１軸心と反対側に位置する第２軸心周りに回転可能に配され、
前記第２軸心は、前記第１軸心に対し、前記第１ローラの半径と前記第２ローラの半径との和よりも大きな一定距離だけ離れ、
前記第２ローラは、前記第２媒体の前記第１面とは反対側の第２面に当接可能であり、
前記当接部は、前記第２面に当接可能に配され、
前記第２ローラ及び前記当接部の一方は、前記第２媒体の搬送方向において前記第１軸心より上流側に位置し、
前記第２ローラ及び前記当接部の他方は、前記搬送方向において前記第１軸心より下流側に位置し、
前記第１軸心に沿った方向に見て、前記第１ローラと前記第２ローラとの間の第１間隔及び前記第１ローラと前記当接部との間の第２間隔は、前記第１媒体の厚みより大きく設定されているとともに、前記第２媒体が前記搬送ガイド部において搬送される際に、前記第１ローラが前記第１面に当接すると同時に前記第２ローラ及び前記当接部が前記第２面に当接可能な大きさに設定されていることを特徴とする画像読取装置。
【請求項２】
前記第１軸心に沿った方向に見て、前記第２ローラと前記当接部とに接する第２接線と、前記第１ローラに接し、かつ前記第２接線と平行な第１接線との第３間隔は、前記第２媒体の厚みより小さく設定されている請求項１記載の画像読取装置。
【請求項３】
前記当接部は、前記第１軸心と平行、かつ前記搬送経路を挟んで前記第１軸心と反対側に位置する第３軸心周りに回転可能に配された第３ローラであり、
前記第３軸心は、前記第１軸心に対し、前記第１ローラの半径と前記第３ローラの半径との和よりも大きな一定距離だけ離れている請求項１又は２記載の画像読取装置。
【請求項４】
第１媒体を案内するとともに、前記第１媒体より幅狭、かつ肉厚である第２媒体を案内する搬送経路を構成する搬送ガイド部を有する筐体と、
前記第１媒体及び前記第２媒体を前記搬送ガイド部において搬送する搬送部と、
前記搬送ガイド部において搬送される前記第１媒体及び前記第２媒体に対して所定の処理を行う処理部とを備え、
前記第２媒体は、前記搬送ガイド部における幅方向の一端側に位置する搬送領域において案内され、
前記搬送部は、前記搬送領域において前記第２媒体を協働して搬送する第１ローラ、第２ローラ及び当接部を有し、
前記第１ローラは、前記幅方向と平行な第１軸心周りに回転駆動され、前記第２媒体の第１面に当接可能であり、
前記第２ローラは、前記第１軸心と平行、かつ前記搬送経路を挟んで前記第１軸心と反対側に位置する第２軸心周りに回転可能に配され、
前記第２軸心は、前記第１軸心に対し、前記第１ローラの半径と前記第２ローラの半径との和よりも大きな一定距離だけ離れ、
前記第２ローラは、前記第２媒体の前記第１面とは反対側の第２面に当接可能であり、
前記当接部は、前記第２面に当接可能に配され、
前記第２ローラ及び前記当接部の一方は、前記第２媒体の搬送方向において前記第１軸心より上流側に位置し、
前記第２ローラ及び前記当接部の他方は、前記搬送方向において前記第１軸心より下流側に位置し、
前記第１軸心に沿った方向に見て、前記第１ローラと前記第２ローラとの間の第１間隔及び前記第１ローラと前記当接部との間の第２間隔は、前記第１媒体の厚みより大きく設定されているとともに、前記第２媒体が前記搬送ガイド部において搬送される際に、前記第１ローラが前記第１面に当接すると同時に前記第２ローラ及び前記当接部が前記第２面に当接可能な大きさに設定されていることを特徴とする媒体搬送装置。
【発明の詳細な説明】
【技術分野】
【０００１】
本発明は画像読取装置及び媒体搬送装置に関する。
【背景技術】
【０００２】
特許文献１に従来の画像読取装置の例が開示されている。この画像読取装置は、筐体と搬送部と読取部とを備えている。筐体は、搬送ガイド部を有している。搬送ガイド部は、第１媒体を案内するとともに、第１媒体より幅狭、かつ肉厚である第２媒体を案内する搬送経路を構成している。搬送部は、第１媒体及び第２媒体を搬送ガイド部において搬送する。読取部は、搬送ガイド部において搬送される第１媒体及び第２媒体の画像を読み取る。第２媒体は、搬送ガイド部における幅方向の一端側に位置する搬送領域において案内される。
【０００３】
搬送部は、搬送領域において第２媒体を協働して搬送する第１ローラ及び第２ローラを有している。第１ローラは、幅方向と平行な第１軸心周りに回転駆動され、第２媒体の第１面に当接可能である。第２ローラは、第１軸心と平行、かつ搬送経路を挟んで第１軸心と反対側に位置する第２軸心周りに回転可能に配されている。第２軸心は、第１軸心に対し、第１ローラの半径と第２ローラの半径との和よりも大きな距離だけ離れている。第２ローラは付勢バネにより第１ローラに接近するように付勢されており、第１軸心と第２軸心との距離が変動する。第２ローラは、第２媒体の第１面とは反対側の第２面に当接可能である。第２ローラは、第２媒体の搬送方向において第１ローラの第１軸心と同じ位置にある。
【０００４】
この画像読取装置では、第１ローラに最も接近した第２ローラと第１ローラとの間隔は、第１媒体の厚みよりも大きくされている。これにより、搬送ガイド部において搬送される第１媒体は、第１ローラと第２ローラとにニップされずに、第１ローラと第２ローラとの間を通過する。このため、この画像読取装置では、搬送ガイド部において搬送される第１媒体に対し、回転駆動される第１ローラから搬送力が付与され難くなっており、第１媒体の幅方向における搬送力のばらつきが抑制される。その結果、この画像読取装置では、第１媒体の斜行を抑制できる。
【０００５】
また、この画像読取装置では、第１ローラが搬送ガイド部において搬送される第２媒体の第１面に当接しつつ回転駆動され、付勢バネに付勢された第２ローラが第２媒体の第２面に当接しつつ従動回転することにより、第１ローラから第２媒体に搬送力が付与される。その結果、この画像読取装置では、第２媒体を良好に搬送できる。
【先行技術文献】
【特許文献】
【０００６】
【特許文献１】特開２００８−２８５２５９号公報
【発明の概要】
【発明が解決しようとする課題】
【０００７】
ところで、上記従来の画像読取装置では、第１ローラに接近するように付勢された第２ローラを採用していることから、第２ローラを付勢する付勢バネや、第２ローラを案内するためのガイド部材等を設けなければならず、製造コストの低廉化が難しい。
【０００８】
本発明は、上記従来の実情に鑑みてなされたものであって、第１媒体の斜行を抑制しつつ第２媒体を良好に搬送できるとともに、製造コストの低廉化を実現できる画像読取装置及び媒体搬送装置を提供することを目的とする。
【課題を解決するための手段】
【０００９】
本発明の画像読取装置は、第１媒体を案内するとともに、第１媒体より幅狭、かつ肉厚である第２媒体を案内する搬送経路を構成する搬送ガイド部を有する筐体と、
第１媒体及び第２媒体を搬送ガイド部において搬送する搬送部と、
搬送ガイド部において搬送される第１媒体及び第２媒体の画像を読み取る読取部とを備え、
第２媒体は、搬送ガイド部における幅方向の一端側に位置する搬送領域において案内され、
搬送部は、搬送領域において第２媒体を協働して搬送する第１ローラ、第２ローラ及び当接部を有し、
第１ローラは、幅方向と平行な第１軸心周りに回転駆動され、第２媒体の第１面に当接可能であり、
第２ローラは、第１軸心と平行、かつ搬送経路を挟んで第１軸心と反対側に位置する第２軸心周りに回転可能に配され、
第２軸心は、第１軸心に対し、第１ローラの半径と第２ローラの半径との和よりも大きな一定距離だけ離れ、
第２ローラは、第２媒体の第１面とは反対側の第２面に当接可能であり、
当接部は、第２面に当接可能に配され、
第２ローラ及び当接部の一方は、第２媒体の搬送方向において第１軸心より上流側に位置し、
第２ローラ及び当接部の他方は、搬送方向において第１軸心より下流側に位置し、
第１軸心に沿った方向に見て、第１ローラと第２ローラとの間の第１間隔及び第１ローラと当接部との間の第２間隔は、第１媒体の厚みより大きく設定されているとともに、第２媒体が搬送ガイド部において搬送される際に、第１ローラが第１面に当接すると同時に第２ローラ及び当接部が第２面に当接可能な大きさに設定されていることを特徴とする。
【００１０】
本発明の画像読取装置では、第１ローラと第２ローラとの間の第１間隔及び第１ローラと当接部との間の第２間隔は、第１媒体の厚みより大きく設定されている。これにより、搬送ガイド部において搬送される第１媒体は、第１ローラと第２ローラとの間、及び第１ローラと当接部との間の少なくとも一方を通過する際、第１ローラと第２ローラとにニップされず、また、第１ローラと当接部とにニップされない。このため、この画像読取装置では、搬送ガイド部において搬送される第１媒体に対して、回転駆動される第１ローラから搬送力が付与され難くなっており、第１媒体の幅方向における搬送力のばらつきが抑制される。その結果、この画像読取装置では、第１媒体の斜行を抑制できる。
【００１１】
また、この画像読取装置では、第２ローラと当接部とは、第２媒体の搬送方向において第１ローラの第１軸心より上流側と下流側とに位置している。そして、第１間隔及び第２間隔が上記のように設定されている。また、第２媒体は、第１媒体より肉厚であるので、第１媒体と比較して曲り難い。これにより、この画像読取装置では、第２媒体が搬送ガイド部において搬送される際に、第１ローラが第１面に当接すると同時に第２ローラ及び当接部が第２面に当接することで、第１ローラから第２媒体に搬送力が好適に付与される。その結果、この画像読取装置では、第２媒体を良好に搬送できる。
【００１２】
さらに、この画像読取装置では、第１ローラの第１軸心と第２ローラの第２軸心との距離が一定であるので、第２ローラを筐体に対して固定できる。このため、この画像読取装置では、第２ローラを付勢する付勢バネや、第２ローラを案内するためのガイド部材等を設けなければならない上記従来の画像読取装置と比較して、製造コストの低廉化を実現できる。
【００１３】
したがって、本発明の画像読取装置では、第１媒体の斜行を抑制しつつ第２媒体を良好に搬送できるとともに、製造コストの低廉化を実現できる。
【００１４】
本発明の媒体搬送装置は、第１媒体を案内するとともに、第１媒体より幅狭、かつ肉厚である第２媒体を案内する搬送経路を構成する搬送ガイド部を有する筐体と、
第１媒体及び第２媒体を搬送ガイド部において搬送する搬送部と、
搬送ガイド部において搬送される第１媒体及び第２媒体に対して所定の処理を行う処理部とを備え、
第２媒体は、搬送ガイド部における幅方向の一端側に位置する搬送領域において案内され、
搬送部は、搬送領域において第２媒体を協働して搬送する第１ローラ、第２ローラ及び当接部を有し、
第１ローラは、幅方向と平行な第１軸心周りに回転駆動され、第２媒体の第１面に当接可能であり、
第２ローラは、第１軸心と平行、かつ搬送経路を挟んで第１軸心と反対側に位置する第２軸心周りに回転可能に配され、
第２軸心は、第１軸心に対し、第１ローラの半径と第２ローラの半径との和よりも大きな一定距離だけ離れ、
第２ローラは、第２媒体の第１面とは反対側の第２面に当接可能であり、
当接部は、第２面に当接可能に配され、
第２ローラ及び当接部の一方は、第２媒体の搬送方向において第１軸心より上流側に位置し、
第２ローラ及び当接部の他方は、搬送方向において第１軸心より下流側に位置し、
第１軸心に沿った方向に見て、第１ローラと第２ローラとの間の第１間隔及び第１ローラと当接部との間の第２間隔は、第１媒体の厚みより大きく設定されているとともに、第２媒体が搬送ガイド部において搬送される際に、第１ローラが第１面に当接すると同時に第２ローラ及び当接部が第２面に当接可能な大きさに設定されていることを特徴とする。
【００１５】
本発明の媒体搬送装置は、本発明の画像読取装置について上述した作用効果と同様の作用効果を奏することができる。
【００１６】
したがって、本発明の媒体搬送装置では、第１媒体の斜行を抑制しつつ第２媒体を良好に搬送できるとともに、製造コストの低廉化を実現できる。
【図面の簡単な説明】
【００１７】
【図１】実施例１の画像読取装置に係り、シートトレイを開いた状態の前方を主に示す斜視図である。
【図２】実施例１の画像読取装置に係り、シートトレイを閉じた状態の後方を主に示す斜視図である。
【図３】実施例１の画像読取装置に係り、シートトレイを閉じた状態の前方を主に示す斜視図である。
【図４】実施例１の画像読取装置に係り、シートトレイを開いた状態を示す模式上面図である。
【図５】実施例１の画像読取装置に係り、図４のＡ−Ａ断面を示す断面図である。
【図６】実施例１の画像読取装置に係り、図４のＢ−Ｂ断面であって、シートトレイを閉じた状態を示す断面図である。
【図７】実施例１の画像読取装置に係り、第１シュート部材を揺動させた状態を示す斜視図である。
【図８】実施例１の画像読取装置に係り、分離ローラ及び駆動軸を主に示す分解斜視図である。
【図９】実施例１の画像読取装置に係り、第１ローラ、第２ローラ及び第３ローラの相対位置関係を説明する模式図である。
【図１０】実施例１の画像読取装置に係り、第１ローラと第２ローラとの間、及び第１ローラと第３ローラとの間を通過する第１媒体を示す模式図である。
【図１１】実施例１の画像読取装置に係り、第１ローラ、第２ローラ及び第３ローラによって搬送される第２媒体を示す模式図である。
【図１２】実施例２の画像読取装置に係り、図６と同様の断面を示す部分断面図である。
【図１３】実施例３の画像読取装置に係り、図６と同様の断面を示す部分断面図である。
【図１４】実施例４の画像読取装置に係り、図６と同様の断面を示す部分断面図である。
【発明を実施するための形態】
【００１８】
以下、本発明に係る画像読取装置及び媒体搬送装置を具体化した実施例１〜４を図面を参照しつつ説明する。
【００１９】
（実施例１）
図１に示すように、実施例１の画像読取装置１は、本発明の画像読取装置及び媒体搬送装置の具体的態様の一例である。図１では、排出口１３側を装置の前側と規定し、排出口１３に対向した場合に左手に来る側を左側と規定して、前後、左右及び上下の各方向を表示する。そして、図２以降に示す各方向は、全て図１に示す各方向に対応させて表示する。以下、図１等に基づいて、画像読取装置１が備える各構成要素について説明する。
【００２０】
＜構成＞
図１〜図８に示すように、画像読取装置１は、筐体３０と、シートトレイ３６とを備えている。筐体３０は、第１シュート部材３１と、第２シュート部材３２と、一対のサイドフレーム３３Ｌ、３３Ｒとが組み合わされてなる。
【００２１】
上側に位置する第１シュート部材３１と、下側に位置する第２シュート部材３２とは、上下方向の間隔を有して互いに対向している。左側のサイドフレーム３３Ｌ及び右側のサイドフレーム３３Ｒは、第１シュート部材３１及び第２シュート部材３２を左右方向の外側から挟んでいる。
【００２２】
図１及び図５〜図７に示すように、第１シュート部材３１は、上面３１Ａ、前面３１Ｂ及び上側案内面３１Ｇ等を有している。上面３１Ａは、上方を向く平面である。上面３１Ａは、後方から前方に向かって下り傾斜している。上面３１Ａの中央には、タッチパネル７０が設けられている。前面３１Ｂは、前方を向く平面である。前面３１Ｂは、上面３１Ａの前端縁に連続し、下方に向かって垂直に延びている。上側案内面３１Ｇは、下方を向く屈曲平面である。上側案内面３１Ｇは、上面３１Ａの後端縁の下側から前方に向かって下り傾斜している。上側案内面３１Ｇは、第１シュート部材３１における前後方向の略中央において前方に向きを変える。上側案内面３１Ｇは、前方に向かって略水平に延びて、前面３１Ｂの下端縁３１ＢＡに連続している。要するに、第１シュート部材３１は、後方から前方に向かって下り傾斜している。
【００２３】
図１、図２及び図５〜図７に示すように、第２シュート部材３２は、前面３２Ｂ、下側案内面３２Ｇ及び後面３２Ｃを有している。前面３２Ｂは、前方を向く平面である。前面３２Ｂの上端縁３２ＢＡは、前面３１Ｂの下端縁３１ＢＡに対して、隙間を有して下側に離間している。前面３２Ｂは、下方に向かって垂直に延びている。下側案内面３２Ｇは、上方を向く屈曲平面である。下側案内面３２Ｇは、後面３２Ｃの上端縁の上側から上側案内面３１Ｇに沿うように、前方に向かって下り傾斜している。下側案内面３２Ｇは、第２シュート部材３２における前後方向の中央において前方に向きを変える。下側案内面３２Ｇは、前方に向かって水平に延びて、前面３２Ｂの上端縁３２ＢＡに連続している。後面３２Ｃは、後方を向く平面である。後面３２Ｃは、下方に向かって略垂直に延びている。
【００２４】
図６及び図８等に示すように、第２シュート部材３２は、下側カード案内面３２Ｊ及び上側カード案内面３２Ｈを有している。下側カード案内面３２Ｊは、下側案内面３２Ｇの水平部分における右端部に連続し、後方に向かって水平に延びて後面３２Ｃまで達している。上側カード案内面３２Ｈは、下側カード案内面３２Ｊに対して上方に離間している。上側カード案内面３２Ｈは、下側カード案内面３２Ｊと平行に、後方に向かって水平に延びて後面３２Ｃまで達している。図６に示すように、上側カード案内面３２Ｈの上下方向の高さは、上側案内面３１Ｇの水平部分の上下方向の高さとほぼ同じである。
【００２５】
なお、上側案内面３１Ｇ、下側案内面３２Ｇ、上側カード案内面３２Ｈ、下側カード案内面３２Ｊは、平滑な平面からなる構成に限定されず、複数のリブの先端縁等によって構成されていてもよい。
【００２６】
図４及び図６に示すように、下側カード案内面３２Ｊが下側案内面３２Ｇの水平部分における右端部に連続する位置を合流位置Ｊ１とする。
【００２７】
図１及び図５等に示すように、筐体３０には、第１導入口１１と、排出口１３とが形成されている。
【００２８】
第１導入口１１に、シートＳＨが挿入される。シートＳＨは、例えば、用紙やＯＨＰシート等である。シートＳＨは、本発明の「第１媒体」の一例である。
【００２９】
より詳しくは、図５に示すように、第１導入口１１は、第１シュート部材３１と第２シュート部材３２との間に形成されている。第１導入口１１は、上側案内面３１Ｇの後端縁３１ＧＡと、下側案内面３２Ｇの後端縁３２ＧＡとの隙間である。図１に示すように、第１導入口１１は、左側のサイドフレーム３３Ｌの近傍から右側のサイドフレーム３３Ｒの近傍まで、左右方向に延びている。第１導入口１１の左右方向の長さは、シートＳＨの幅よりも長くされている。
【００３０】
図１及び図５に示すように、排出口１３から、シートＳＨが排出される。排出口１３は、第１シュート部材３１と第２シュート部材３２との間に形成されている。より詳しくは、排出口１３は、前面３１Ｂの下端縁３１ＢＡと、前面３２Ｂの上端縁３２ＢＡとの隙間である。排出口１３は、左側のサイドフレーム３３Ｌの近傍から右側のサイドフレーム３３Ｒの近傍まで、左右方向に延びている。排出口１３の左右方向の長さは、第１導入口１１と同様、シートＳＨの幅よりも長くされている。
【００３１】
図４〜図６に示すように、画像読取装置１は、搬送ガイド部１０を備えている。搬送ガイド部１０は、第１シュート部材３１の上側案内面３１Ｇと、第２シュート部材３２の下側案内面３２Ｇとに上下方向から挟まれてなる通路により、第１搬送経路Ｐ１を形成している。搬送ガイド部１０は、第１搬送経路Ｐ１に沿って、シートＳＨを第１導入口１１から排出口１３へ案内する。第１搬送経路Ｐ１は、本発明の「搬送経路」の一例である。搬送ガイド部１０の幅方向である左右方向は、本発明の「幅方向」の一例である。また、本実施例において、幅方向の一端側は右端側であり、幅方向の他端側は左端側である。
【００３２】
搬送ガイド部１０は、第１導入口１１から前方に向かって下り傾斜している。そして、搬送ガイド部１０は、筐体３０における前後方向の中央において前向きに屈曲し、排出口１３まで水平に延びている。
【００３３】
図７に示すように、第１シュート部材３１は、回動軸心Ｘ３１周りに筐体３０に揺動可能に組み付けられている。回動軸心Ｘ３１は、第１シュート部材３１の前面３１Ｂの下端縁３１ＢＡ側に位置して左右方向に延びている。第１シュート部材３１が第２シュート部材３２に対して上方に離間するように揺動することにより、搬送ガイド部１０が開放される。
【００３４】
図４に示すように、搬送ガイド部１０において、合流位置Ｊ１より排出口１３側、かつ右端側に位置する領域は、カード搬送領域２９とされている。カード搬送領域２９は、本発明の「搬送領域」の一例である。
【００３５】
図２及び図６等に示すように、筐体３０には、第２導入口１２が形成されている。第２導入口１２に、シートＳＨより幅狭であるカードＣＡが挿入される。カードＣＡは、シートＳＨより小面積の枚葉である。カードＣＡは、例えば、名刺、キャッシュカード、会員証又は免許証等である。カードＣＡの短辺の長さは、例えば、国際標準化機構（ＩＳＯ）／国際電気標準会議（ＩＥＣ）による国際規格ＩＤ−１の５３．９８ｍｍである。カードＣＡの長辺の長さは、例えば、国際標準化機構（ＩＳＯ）／国際電気標準会議（ＩＥＣ）による国際規格ＩＤ−１の８５．６０ｍｍである。カードＣＡは、シートＳＨより肉厚であるとともに剛性が高い。カードＣＡも、本発明の「第２媒体」の一例である。
【００３６】
より詳しくは、図６に示すように、第２導入口１２は、第２シュート部材３２に形成されている。第２導入口１２は、後面３２Ｃにおける上下方向の中間部、かつ右側のサイドフレーム３３Ｒ側に開口している。第２導入口１２は、左右方向に延びている。第２導入口１２の左右方向の長さは、第１導入口１１の左右方向の長さよりも小さく形成されている。また、第２導入口１２の左右方向の長さは、カードＣＡの幅よりも長くされている。第２導入口１２の上下方向の高さは、搬送ガイド部１０の水平部分及び排出口１３の上下方向の高さとほぼ同じである。第２導入口１２は、第１導入口１１の右端側と上下方向において重なる位置にある。
【００３７】
図３及び図６に示すように、排出口１３の右端側から、カードＣＡが排出される。要するに、排出口１３からは、第１導入口１１から挿入されたシートＳＨ及び第２導入口１２から挿入されたカードＣＡが共通して排出される。
【００３８】
図４、図６及び図８に示すように、画像読取装置１は、第２搬送ガイド部２０を備えている。第２搬送ガイド部２０は、第２シュート部材３２の上側カード案内面３２Ｈと下側カード案内面３２Ｊとに上下方向から挟まれてなる通路により、図６に示す第２搬送経路Ｐ２を形成している。第２搬送ガイド部２０は、合流位置Ｊ１において、搬送ガイド部１０に合流する。第２搬送ガイド部２０は、第２搬送経路Ｐ２に沿って、第２導入口１２から挿入されたカードＣＡを搬送ガイド部１０に合流するように案内する。
【００３９】
第２搬送ガイド部２０が搬送ガイド部１０に合流する合流位置Ｊ１は、上側案内面３１Ｇ及び下側案内面３２Ｇの前方から後方に向かって下り傾斜する部分から水平に向きを変える部分に設定されている。これにより、第２搬送ガイド部２０と、搬送ガイド部１０の右端側に位置するカード搬送領域２９とは、後方の第２導入口１２から前方の排出口１３の右端側まで水平に延びている。第２搬送ガイド部２０とカード搬送領域２９とは、第２導入口１２から排出口１３の右端側へカードＣＡを案内する。
【００４０】
図１に示すように、シートトレイ３６は、基部３６Ａ、中間部３６Ｂ及び先端部３６Ｃを有している。基部３６Ａは、左右方向に延びる回動軸心Ｘ３６Ａ周りに回動可能に両サイドフレーム３３Ｌ、３３Ｒに支持されている。中間部３６Ｂは、基部３６Ａの回動軸心Ｘ３６Ａから遠い端縁側において、基部３６Ａに連結されている。先端部３６Ｃは、中間部３６Ｂの基部３６Ａから遠い端縁側において、中間部３６Ｂに連結されている。中間部３６Ｂの中央には、操作開口３９が矩形状に開口している。
【００４１】
図１及び図５に示すように、シートトレイ３６が開いた状態では、基部３６Ａ、中間部３６Ｂ及び先端部３６Ｃが下側案内面３２Ｇの傾斜部分に連続するように後方に向かって上り傾斜し、第１導入口１１を開放している。シートトレイ３６には、１枚又は複数枚のシートＳＨが載置される。シートトレイ３６は、左右一対の幅規制ガイド３６Ｗを有している。幅規制ガイド３６Ｗは、シートトレイ３６に載置されるシートＳＨを左右方向の外側から挟んで左右方向の位置決めを行う。シートトレイ３６に載置されたシートＳＨは、第１導入口１１に挿入され、搬送ガイド部１０により排出口１３へ案内される。
【００４２】
図２、図３及び図６に示すように、シートトレイ３６が閉じた状態では、基部３６Ａが垂直になって第２シュート部材３２の後面３２Ｃと面一になり、中間部３６Ｂが第１シュート部材３１の上面３１Ａを上方から覆い、先端部３６Ｃが第１シュート部材３１の前面３１Ｂを前方から覆っている。図２及び図３に示すように、操作開口３９は、シートトレイ３６が閉じた状態でタッチパネル７０を外部に露出させている。
【００４３】
図４〜図６等に示すように、画像読取装置１は、制御基板５４と、駆動源４０Ｍと、搬送部４０と、読取部５５とを備えている。読取部５５は、本発明の「処理部」の一例である。
【００４４】
図５及び図６に示すように、制御基板５４は、第２シュート部材３２の底部に配されている。図示は省略するが、制御基板５４は、ＣＰＵ、ＲＯＭ及びＲＡＭ等を備える扁平な電子回路基板である。制御基板５４には、ＡＣアダプタ及び給電コードを介して、家庭用コンセントから電力が供給される。制御基板５４は、駆動源４０Ｍ、読取部５５、タッチパネル７０等に電気的に接続され、適宜それらに電力を供給して制御を行う。
【００４５】
図４に示すように、駆動源４０Ｍは、筐体３０内における左側のサイドフレーム３３Ｌ側に設けられている。駆動源４０Ｍは、図示しないモータ及び伝達ギヤ群を有している。駆動源４０Ｍは、そのモータが制御基板５４に制御されることにより、駆動力を発生する。
【００４６】
図４〜図８に示すように、搬送部４０は、分離ローラ４８、分離パッド４９、上流側搬送部４１及び下流側搬送部４２を有している。読取部５５は、第１読取部５５Ａ及び第２読取部５５Ｂを有している。これらは、搬送ガイド部１０において、第１導入口１１から排出口１３に向かってシートＳＨが搬送される搬送方向の上流側から下流側に向かって、分離ローラ４８及び分離パッド４９、上流側搬送部４１、第２読取部５５Ｂ、第１読取部５５Ａ、下流側搬送部４２という順番で配されている。また、分離ローラ４８及び分離パッド４９は、合流位置Ｊ１よりも第１導入口１１側に配され、上流側搬送部４１、第２読取部５５Ｂ、第１読取部５５Ａ及び下流側搬送部４２は、合流位置Ｊ１よりも排出口１３側に配されている。以下、この順番で、これらの構成を説明する。なお、合流位置Ｊ１よりも排出口１３側において、シートＳＨが搬送される搬送方向とカードＣＡが搬送される搬送方向とは、同じである。
【００４７】
図５及び図８等に示すように、分離ローラ４８は、第２シュート部材３２内に回転可能に支持されている。分離ローラ４８の上部は、下側案内面３２Ｇの傾斜部分から搬送ガイド部１０に露出している。
【００４８】
図４及び図８に示すように、分離ローラ４８は、搬送ガイド部１０における左右方向の中央部に位置している。分離ローラ４８は、駆動軸４８Ｓにより、駆動源４０Ｍに連結されている。駆動軸４８Ｓは、分離ローラ４８と同軸上に配されて左右方向に延びている。駆動軸４８Ｓの右端部は、分離ローラ４８の右端面４８Ｒより僅かに右方に突出し、第２シュート部材３２により回転可能に支持されている。駆動軸４８Ｓの右端部は、カード搬送領域２９より左側で途切れている。すなわち、駆動軸４８Ｓは、分離ローラ４８の右端面４８Ｒの近傍より左端側のみに配されている。駆動軸４８Ｓは、駆動源４０Ｍから分離ローラ４８に駆動力を伝達する。
【００４９】
分離ローラ４８は、制御基板５４が駆動源４０Ｍを制御することにより、駆動軸４８Ｓを介して駆動源４０Ｍに駆動される。そして、図５に示すように、分離ローラ４８は、シートトレイ３６に載置されたシートＳＨに当接しつつ回転することにより、そのシートＳＨを搬送ガイド部１０に送り出す。
【００５０】
図７に示すように、分離パッド４９は、第１シュート部材３１に組み付けられている。図５に示すように、分離パッド４９は、上側案内面３１Ｇにおいて搬送ガイド部１０に露出している。分離パッド４９は、ゴムやエラストマー等の摩擦部材からなる板状体である。分離パッド４９は、図示しない付勢部材に付勢されて、分離ローラ４８に押し付けられている。これにより、分離ローラ４８と分離パッド４９とは、搬送ガイド部１０において搬送されるシートＳＨを挟んで一枚ずつ分離し得る。
【００５１】
図４〜図８に示すように、上流側搬送部４１は、第１搬送ローラ対４１Ａ、４１Ｂと、第２搬送ローラ対４１Ｄとを備えている。第１搬送ローラ対４１Ａ、４１Ｂ及び第２搬送ローラ対４１Ｄは、搬送方向において同じ位置に配されている。第１搬送ローラ対４１Ａ、４１Ｂはそれぞれ、駆動源４０Ｍに駆動されて回転する駆動ローラと、その駆動ローラと対向する従動ローラとからなる。第２搬送ローラ対４１Ｄは、駆動源４０Ｍに駆動されて回転する第１ローラ１１０と、第１ローラ１１０と対向する第２ローラ１２０及び第３ローラ１３０とを有している。第２搬送ローラ対４１Ｄの具体的構成については、後で詳しく説明する。
【００５２】
第１搬送ローラ対４１Ａ、４１Ｂは、カード搬送領域２９外に位置し、搬送ガイド部１０においてシートＳＨをニップして搬送する。第２搬送ローラ対４１Ｄは、カード搬送領域２９内に位置し、搬送ガイド部１０のカード搬送領域２９においてカードＣＡをニップして搬送する。
【００５３】
第２読取部５５Ｂは、第２シュート部材３２に組み付けられている。より具体的には、第２読取部５５Ｂは、Ｃｏｎｔａｃｔ  Ｉｍａｇｅ  Ｓｅｎｓｏｒ（以後、「ＣＩＳ」と略す）、ＣＩＳホルダ及びコンタクトガラス等を備える。第２読取部５５Ｂの上面は、下側案内面３２Ｇの水平部分において搬送ガイド部１０に露出している。
【００５４】
第１読取部５５Ａは、第１シュート部材３１に組み付けられている。より具体的には、第１読取部５５Ａは、ＣＩＳ、ＣＩＳホルダ及びコンタクトガラス等を備える。第１読取部５５Ａの下面は、上側案内面３１Ｇの水平部分において搬送ガイド部１０に露出している。
【００５５】
第１読取部５５Ａ及び第２読取部５５Ｂは、第１読取部５５Ａが排出口１３に対して第２読取部５５Ｂよりも近い位置にある状態で、カード搬送領域２９を含む搬送ガイド部１０全体を上下方向から挟むように対向している。
【００５６】
上記構成により、第１読取部５５Ａ及び第２読取部５５Ｂは、シートＳＨが搬送ガイド部１０において搬送される場合、そのシートＳＨの両面の画像を読み取る。また、第１読取部５５Ａ及び第２読取部５５Ｂは、第２搬送ガイド部２０に案内されて搬送ガイド部１０に合流したカードＣＡがカード搬送領域２９において搬送される場合、そのカードＣＡの両面の画像を読み取る。
【００５７】
下流側搬送部４２は、第１搬送ローラ対４２Ａ、４２Ｂ、４２Ｃと、第２搬送ローラ対４２Ｄとを備えている。第１搬送ローラ対４２Ａ、４２Ｂ、４２Ｃ及び第２搬送ローラ対４２Ｄは、搬送方向において同じ位置に配されている。第１搬送ローラ対４２Ａ、４２Ｂ、４２Ｃ及び第２搬送ローラ対４２Ｄはそれぞれ、駆動源４０Ｍに駆動されて回転する駆動ローラと、その駆動ローラと対向する従動ローラとからなる。
【００５８】
第１搬送ローラ対４２Ａ、４２Ｂ、４２Ｃは、カード搬送領域２９外に位置し、搬送ガイド部１０において搬送されるシートＳＨをニップして回転し、シートＳＨを排出口１３から筐体３０の外部に排出する。第２搬送ローラ対４２Ｄは、カード搬送領域２９内に位置し、カード搬送領域２９において画像が読み取られたカードＣＡをニップして回転し、カードＣＡを排出口１３の右端側から筐体３０の外部に排出する。
【００５９】
図１及び図５に示すように、タッチパネル７０は、第１シュート部材３１の内部における上面３１Ａ側に組み付けられている。タッチパネル７０は、上面３１Ａにくり抜かれた矩形状のタッチパネル用開口３１Ｈにより外部に露出している。タッチパネル７０は、液晶パネルと、液晶パネルの背面側から光を照射する蛍光ランプやＬＥＤ等の光源と、液晶パネルの表面に貼り合わされた接触感知膜とを有している。
【００６０】
タッチパネル７０は、制御基板５４に制御されて、画像読取動作の処理状況やエラー状況等である画像読取装置１の稼働状況等を表示する。また、タッチパネル７０は、外部からの操作を受け付ける。具体的には、タッチパネル７０は、例えば、画像読取を開始するためのボタンや、設定入力用のボタン等の各種のボタンを表示する。そして、ユーザがいずれかのボタンに対応する処理の実行指示や設定入力を行うために、タッチパネル７０に触れると、タッチパネル７０は、その操作を受け付けて、制御基板５４に伝達する。
【００６１】
＜シート及びカードの画像読取動作＞
この画像読取装置１では、以下のようにして、シートＳＨ及びカードＣＡの画像が読み取られる。
【００６２】
図１及び図５に示すように、シートＳＨの画像が読み取られる場合、ユーザにより、シートトレイ３６が開いた状態とされる。シートトレイ３６が開いた状態であれば、その状態が維持される。そして、ユーザにより、シートトレイ３６にシートＳＨが載置される。制御基板５４は、タッチパネル７０からシートＳＨの読取指示があった場合、図示しないシート検出センサによってシートトレイ３６にシートＳＨが載置されていることを確認した上で、シートＳＨの画像読取動作を開始する。
【００６３】
そうすると、制御基板５４は、駆動源４０Ｍに駆動力を発生させるように制御する。そうすると、まず、分離ローラ４８が分離パッド４９とシートＳＨを挟みながら回転する。分離ローラ４８は、シートトレイ３６上のシートＳＨを第１導入口１１から導入し、シートＳＨを搬送ガイド部１０に送り出す。この際、複数枚のシートＳＨが重なった状態で搬送されようとしている場合、分離パッド４９とシートＳＨとの間の摩擦力などにより、シートＳＨが一枚ずつ分離され得る。
【００６４】
次に、上流側搬送部４１の第１搬送ローラ対４１Ａ、４１Ｂによって、分離ローラ４８に送り出されたシートＳＨを搬送ガイド部１０において搬送する。搬送ガイド部１０において搬送されるシートＳＨの両面の画像が第１読取部５５Ａ及び第２読取部５５Ｂにより読み取られる。画像が読み取られたシートＳＨは、下流側搬送部４２の第１搬送ローラ対４２Ａ、４２Ｂ、４２Ｃによって、排出口１３から筐体３０の外部に排出される。
【００６５】
一方、図２、図３及び図６に示すように、カードＣＡの画像が読み取られる場合、ユーザにより、シートトレイ３６が閉じた状態とされる。シートトレイ３６が閉じた状態であれば、その状態が維持される。そして、図２に示すように、ユーザにより、カードＣＡが筐体３０の後方から第２導入口１２に差し込まれる。そうすると、カードＣＡは、第２搬送ガイド部２０を通過し、その先端がカード搬送領域２９に到達する。制御基板５４は、タッチパネル７０からカードＣＡの読取指示があった場合、図示しないカード検出センサによって第２導入口１２からカードＣＡが挿入されていることを確認した上で、カードＣＡの画像読取動作を開始する。
【００６６】
そうすると、制御基板５４は、駆動源４０Ｍに駆動力を発生させるように制御する。そうすると、上流側搬送部４１の第２搬送ローラ対４１Ｄによって、カード搬送領域２９においてカードＣＡを搬送する。カード搬送領域２９において搬送されるカードＣＡの両面の画像が第１読取部５５Ａ及び第２読取部５５Ｂにより読み取られる。図３に示すように、画像が読み取られたカードＣＡは、下流側搬送部４２の第２搬送ローラ対４２Ｄによって、排出口１３から筐体３０の外部に排出される。
【００６７】
＜上流側搬送部４１の第２搬送ローラ対４１Ｄの具体的構成＞
図４、図６、図７及び図９に示す第２搬送ローラ対４１Ｄは、以下のようにして、第１ローラ１１０、第２ローラ１２０及び第３ローラ１３０により、カード搬送領域２９においてカードＣＡを協働して搬送する。
【００６８】
図６に示すように、第１ローラ１１０は、第２シュート部材３２内に回転可能に支持されている。第１ローラ１１０の上部は、下側案内面３２Ｇの水平部分における合流位置Ｊ１の近傍から搬送ガイド部１０に露出している。
【００６９】
図４に示すように、第１ローラ１１０は、駆動軸４１Ｓにより、駆動源４０Ｍに連結されている。駆動軸４１Ｓは、第１搬送ローラ対４１Ａ、４１Ｂの駆動ローラ及び第１ローラ１１０と同軸上に配されて左右方向に延びている。駆動軸４１Ｓは、駆動源４０Ｍから、第１搬送ローラ対４１Ａ、４１Ｂの駆動ローラ及び第１ローラ１１０に駆動力を伝達する。
【００７０】
図６に示すように、第１ローラ１１０は、制御基板５４が駆動源４０Ｍを制御することにより、左右方向と平行な第１軸心Ｘ１周りに回転駆動される。
【００７１】
図１０に示すように、第１ローラ１１０は、シートＳＨの下面ＳＨ１に当接可能である。また、図１１に示すように、第１ローラ１１０は、カードＣＡの下面ＣＡ１に当接可能である。下面ＣＡ１は、本発明の「第１面」の一例である。
【００７２】
図６及び図７に示すように、第２ローラ１２０は、左右方向と平行な第２軸心Ｘ２周りに回転可能に第１シュート部材３１に支持されている。第３ローラ１３０は、左右方向と平行な第３軸心Ｘ３周りに回転可能に第１シュート部材３１に支持されている。第２ローラ１２０及び第３ローラ１３０は、上側案内面３１Ｇの水平部分における合流位置Ｊ１の近傍から搬送ガイド部１０に露出している。
【００７３】
図６に示すように、カード搬送領域２９において合流位置Ｊ１から排出口１３に向けて搬送されるカードＣＡの搬送方向において、第２ローラ１２０は第１軸心Ｘ１より上流側、すなわち、合流位置Ｊ１側に位置し、第３ローラ１３０は第１軸心Ｘ１より下流側、すなわち、排出口１３側に位置している。
【００７４】
要するに、第２ローラ１２０は、第１軸心Ｘ１と平行、かつ第１搬送経路Ｐ１を挟んで第１軸心Ｘ１と反対側に位置する第２軸心Ｘ２周りに回転可能に配されている。第３ローラ１３０は、第１軸心Ｘ１と平行、かつ第１搬送経路Ｐ１を挟んで第１軸心Ｘ１と反対側に位置する第３軸心Ｘ３周りに回転可能に配されている。第３ローラ１３０は、本発明の「当接部」の一例である。
【００７５】
図１０に示すように、第２ローラ１２０及び第３ローラ１３０は、シートＳＨの上面ＳＨ２に当接可能である。また、図１１に示すように、第２ローラ１２０及び第３ローラ１３０は、カードＣＡの上面ＣＡ２に当接可能である。上面ＣＡ２は、本発明の「第２面」の一例である。
【００７６】
図９に示すように、第２軸心Ｘ２は、第１軸心Ｘ１に対し、第１ローラ１１０の半径Ｒ１と第２ローラ１２０の半径Ｒ２との和よりも大きな一定距離Ｌ１だけ離れている。第１軸心Ｘ１に沿った方向に見て、すなわち、図９のように見て、第１ローラ１１０と第２ローラ１２０との間に、一定の第１間隔Ｗ１が確保されている。このため、第２ローラ１２０は、第１シュート部材３１に対して固定されている。
【００７７】
第３軸心Ｘ３は、第１軸心Ｘ１に対し、第１ローラ１１０の半径Ｒ１と第３ローラ１３０の半径Ｒ３との和よりも大きな一定距離Ｌ２だけ離れている。第１軸心Ｘ１に沿った方向に見て、すなわち、図９のように見て、第１ローラ１１０と第３ローラ１３０との間に、一定の第２間隔Ｗ２が確保されている。このため、第３ローラ１３０は、第１シュート部材３１に対して固定されている。
【００７８】
第１間隔Ｗ１及び第２間隔Ｗ２は、シートＳＨの厚みＴ１より大きく設定されている。また、図１１に示すように、第１間隔Ｗ１及び第２間隔Ｗ２は、カードが搬送ガイド部１０において搬送される際に、第１ローラ１１０が下面ＣＡ１に当接すると同時に第２ローラ１２０及び第３ローラ１３０が上面ＣＡ２に当接可能な大きさに設定されている。具体的には、図９に示すように、第１軸心Ｘ１に沿った方向に見て、第２ローラ１２０と第３ローラ１３０とに接する接線を第２接線Ｓ２とし、第１ローラ１１０に接し、かつ第２接線Ｓ２と平行な接線を第１接線Ｓ１とする。そうすると、第１間隔Ｗ１及び第２間隔Ｗ２は、第２接線Ｓ２と第１接線Ｓ１との第３間隔Ｗ３がカードＣＡの厚みＴ２より小さくなるように設定されている。
【００７９】
＜作用効果＞
実施例１の画像読取装置１では、図９に示すように、第１間隔Ｗ１及び第２間隔Ｗ２は、シートＳＨの厚みＴ１より大きく設定されている。このような第１間隔Ｗ１及び第２間隔Ｗ２の設定により、図１０に示すように、搬送ガイド部１０において搬送されるシートＳＨは、第１ローラ１１０と第２ローラ１２０との間を通過する際、第１ローラ１１０又は第２ローラ１２０に当接するとしても、第１ローラ１１０と第２ローラ１２０とにニップされない。また、そのシートＳＨは、第１ローラ１１０と第３ローラ１３０との間を通過する際、第１ローラ１１０又は第３ローラ１３０に当接するとしても、第１ローラ１１０と第３ローラ１３０とにニップされない。このため、この画像読取装置１では、搬送ガイド部１０において搬送されるシートＳＨの右端縁側に対して、回転駆動される第１ローラ１１０から搬送力が付与され難くなっており、シートＳＨの左右方向における搬送力のばらつきが抑制される。その結果、この画像読取装置１では、シートＳＨの斜行を抑制できる。
【００８０】
また、この画像読取装置１では、図９に示すように、第２ローラ１２０は、カードＣＡの搬送方向において第１ローラ１１０の第１軸心Ｘ１より上流側、すなわち合流位置Ｊ１側に位置している。第３ローラ１３０は、カードＣＡの搬送方向において第１軸心Ｘ１より下流側、すなわち排出口１３側に位置している。そして、第１間隔Ｗ１及び第２間隔Ｗ２は、第１軸心Ｘ１に沿った方向に見て、第２接線Ｓ２と第１接線Ｓ１との第３間隔Ｗ３がカードＣＡの厚みＴ２より小さくなるように設定されている。これにより、図１１に示すように、カードＣＡが搬送ガイド部１０において搬送される際に、第１ローラ１１０がカードＣＡの下面ＣＡ１に当接すると同時に第２ローラ１２０及び第３ローラ１３０がカードＣＡの上面ＣＡ２に当接可能となっている。また、カードＣＡは、シートＳＨより肉厚であるとともに剛性が高い。このため、カードＣＡが同時に第１ローラ１１０、第２ローラ１２０及び第３ローラ１３０に当接して撓むと、カードＣＡに、平坦な状態に戻ろうとする復元力が蓄えられる。この復元力により、カードＣＡと、第１ローラ１１０、第２ローラ１２０及び第３ローラ１３０との間に押圧力が好適に作用するので、駆動源４０Ｍによって回転駆動される第１ローラ１１０からカードＣＡに搬送力が好適に付与される。その結果、この画像読取装置１では、カードＣＡを良好に搬送できる。
【００８１】
さらに、この画像読取装置１では、図９に示すように、第１ローラ１１０の第１軸心Ｘ１と第２ローラ１２０の第２軸心Ｘ２との距離Ｌ１が一定である。また、第１ローラ１１０の第１軸心Ｘ１と第３ローラ１３０の第３軸心Ｘ３との距離Ｌ２が一定である。これにより、第２ローラ１２０及び第３ローラ１３０は、第１シュート部材３１に対して固定されている。このため、この画像読取装置１では、上記従来の画像読取装置と異なり、第２ローラ１２０及び第３ローラ１３０を第１ローラ１１０に向けて付勢する付勢バネや、第２ローラ１２０及び第３ローラ１３０を案内するためのガイド部材等を設ける必要がないので、製造コストの低廉化を実現できる。
【００８２】
したがって、実施例１の画像読取装置１では、シートＳＨの斜行を抑制しつつカードＣＡを良好に搬送できるとともに、製造コストの低廉化を実現できる。
【００８３】
また、この画像読取装置１では、当接部としての第３ローラ１３０が回転しながらカードＣＡの上面ＣＡ２に当接するので、カードＣＡに対して搬送抵抗が作用し難いとともに、カードＣＡに擦り傷が付き難い。
【００８４】
（実施例２）
図１２に示すように、実施例２の画像読取装置では、実施例１の画像読取装置１における第３ローラ１３０の代わりに、当接部２３０を採用している。実施例２のその他の構成は、実施例１と同様である。このため、実施例１と同一の構成については同一の符号を付して、説明を省略又は簡略する。
【００８５】
当接部２３０は、第１シュート部材３１から第３ローラ１３０を取り除き、第３ローラ１３０が設置されていた箇所に設けられたリブである。当接部２３０は、第１軸心Ｘ１に沿った方向に見て、すなわち、図１２のように見て、下向きに膨らむ円弧状の輪郭を有している。当接部２３０の輪郭は、実施例１の第３ローラ１３０の外周面の下側の輪郭とおおよそ一致するように形成されている。当接部２３０の輪郭の下端は、図９に示す第２接線Ｓ２に接っている。すなわち、実施例１における第２間隔Ｗ２及び第３間隔Ｗ３は、第３ローラ１３０を当接部２３０に置き換えても維持されている。
【００８６】
このような構成である実施例２の画像読取装置では、実施例１の画像読取装置１と同様、シートＳＨの斜行を抑制しつつカードＣＡを良好に搬送できるとともに、製造コストの低廉化を実現できる。
【００８７】
（実施例３）
図１３に示すように、実施例３の画像読取装置では、実施例１の画像読取装置１における第２ローラ１２０を図９に示す第２接線Ｓ２に接したままで合流位置Ｊ１よりも第２導入口１２側に移動させている。実施例３のその他の構成は、実施例１と同様である。このため、実施例１と同一の構成については同一の符号を付して、説明を省略又は簡略する。
【００８８】
実施例３では、第２ローラ１２０は、第２シュート部材３２の上側カード案内面３２Ｈに回転可能に支持されている。第１ローラ１１０と第２ローラ１２０との間の第１間隔は、第２ローラ１２０を移動させたことにより、実施例１における第１間隔Ｗ１より大きくなっている。その一方、第２ローラ１２０は、図９に示す第２接線Ｓ２に接したままで移動しているので、実施例１における第３間隔Ｗ３は、第２ローラ１２０を移動させても維持されている。
【００８９】
このような構成である実施例３の画像読取装置では、実施例１、２の画像読取装置１と同様、シートＳＨの斜行を抑制しつつカードＣＡを良好に搬送できるとともに、製造コストの低廉化を実現できる。
【００９０】
また、この画像読取装置では、図１３に示すように、搬送ガイド部１０において搬送されるシートＳＨは、第１ローラ１１０と第２ローラ１２０との間を通過しない。このため、この画像読取装置では、搬送ガイド部１０において搬送されるシートＳＨの右端縁側に対して、回転駆動される第１ローラ１１０から搬送力が一層付与され難くなっており、シートＳＨの左右方向における搬送力のばらつきが一層抑制される。その結果、この画像読取装置１では、シートＳＨの斜行を一層抑制できる。
【００９１】
（実施例４）
図１４に示すように、実施例４の画像読取装置では、実施例３の画像読取装置における移動後の第２ローラ１２０の代わりに、当接部４３０を採用している。実施例４のその他の構成は、実施例３と同様である。このため、実施例３と同一の構成については同一の符号を付して、説明を省略又は簡略する。
【００９２】
当接部４３０は、実施例３における第２ローラ１２０を第２シュート部材３２から取り除き、その第２ローラ１２０が設置されていた箇所に設けられたリブである。当接部４３０は、第１軸心Ｘ１に沿った方向に見て、すなわち、図１４のように見て、下向きに膨らむ略円弧状の輪郭を有している。当接部４３０の輪郭は、実施例３における第２ローラ１２０の外周面の下側の輪郭とおおよそ一致するように形成されている。当接部４３０の輪郭のうちの第２導入口１２側は、カードＣＡが引っ掛からないように前方に向かって緩やかに下り傾斜している。そして、当接部４３０の輪郭の下端は、図９に示す第２接線Ｓ２に接している。すなわち、実施例１における第３間隔Ｗ３は、実施例３における第２ローラ１２０を当接部４３０に置き換えても維持されている。
【００９３】
このような構成である実施例４の画像読取装置では、実施例３と同様の作用効果を奏することができる。
【００９４】
以上において、本発明を実施例１〜４に即して説明したが、本発明は上記実施例１〜４に制限されるものではなく、その趣旨を逸脱しない範囲で適宜変更して適用できることはいうまでもない。
【産業上の利用可能性】
【００９５】
本発明は、画像読取装置、画像形成装置又は複合機等に利用可能である。
【符号の説明】
【００９６】
１…画像読取装置（媒体搬送装置）
ＳＨ…シート（第１媒体）、ＣＡ…カード（第２媒体）
ＣＡ１…第２媒体の第１面（下面）、ＣＡ２…第２媒体の第２面（上面）
３０…筐体、１０…搬送ガイド部、Ｐ１…搬送経路（第１搬送経路）
４０…搬送部、５５…読取部（処理部）、２９…搬送領域（カード搬送領域）
１１０…第１ローラ、１２０…第２ローラ
１３０、２３０、４３０…当接部（１３０…第３ローラ）
Ｘ１…第１軸心、Ｘ２…第２軸心、Ｘ３…第３軸心
Ｌ１…第１軸心と第２軸心との距離、Ｌ２…第１軸心と第３軸心との距離
Ｒ１…第１ローラの半径、Ｒ２…第２ローラの半径、Ｒ３…第３ローラの半径
Ｗ１…第１間隔、Ｗ２…第２間隔、Ｗ３…第３間隔
Ｓ１…第１接線、Ｓ２…第２接線、Ｔ１…第１媒体の厚み、Ｔ２…第２媒体の厚み
【図１】
2014193757.tif 000003
【図２】
2014193757.tif 000004
【図３】
2014193757.tif 000005
【図４】
2014193757.tif 000006
【図５】
2014193757.tif 000007
【図６】
2014193757.tif 000008
【図７】
2014193757.tif 000009
【図８】
2014193757.tif 000010
【図９】
2014193757.tif 000011
【図１０】
2014193757.tif 000012
【図１１】
2014193757.tif 000013
【図１２】
2014193757.tif 000014
【図１３】
2014193757.tif 000015
【図１４】
2014193757.tif 000016